(57)【要約】【課題】カバーに過剰な負荷が加えられても、カバーと筐体とが分離することなく、容易に現状復帰させることが可能なカバー開閉装置を提供すること。【解決手段】カバー開閉装置２０は、筐体１０と、筐体１０の一部を覆い筐体１０に対して開閉可能なカバー２２と、筐体１０およびカバー２２を連結させる連結部材４０と、を備えるカバー開閉装置２０であって、連結部材４０は、筐体１０と連結する第１連結部４１と、カバー２２と連結する第２連結部４３と、を有し、第２連結部４３は、カバー２２と連結部材４０とを連結させたまま結合状態を変更可能である。【選択図】図３
2016039159.tif 000002
【特許請求の範囲】
【請求項１】
筐体と、
前記筐体の一部を覆い前記筐体に対して開閉可能なカバーと、
前記筐体および前記カバーを連結させる連結部材と、
を備えるカバー開閉装置であって、
前記連結部材は、前記筐体と連結する第１連結部と、前記カバーと連結する第２連結部と、を有し、
前記第２連結部は、前記カバーと前記連結部材とを連結させたまま結合状態を変更可能であること、を特徴とするカバー開閉装置。
【請求項２】
請求項１に記載のカバー開閉装置であって、
前記筐体に対する前記カバーの開閉角度が所定角度以下の時、前記カバーは前記第１連結部を中心に回動し、
前記筐体に対する前記カバーの開閉角度が前記所定角度より大きい時、前記カバーは前記第２連結部を中心に回動すること、を特徴とするカバー開閉装置。
【請求項３】
請求項２に記載のカバー開閉装置であって、
前記連結部材は、前記第２連結部とは異なる領域で前記カバーおよび前記連結部材を接合する接続部をさらに備え、
前記筐体に対する前記カバーの開閉角度が前記所定角度より大きい時、前記カバーは前記接続部において前記連結部材から外れること、を特徴とするカバー開閉装置。
【請求項４】
請求項３に記載のカバー開閉装置であって、
前記接続部は、係合形状であること、を特徴とするカバー開閉装置。
【請求項５】
請求項３又は請求項４に記載のカバー開閉装置であって、
前記接続部は、フックであること、を特徴とするカバー開閉装置。
【請求項６】
請求項３又は請求項４に記載のカバー開閉装置であって、
前記接続部は、ボール形状であること、を特徴とするカバー開閉装置。
【請求項７】
請求項３乃至請求項６のいずれか一項に記載のカバー開閉装置であって、
前記接続部は、前記連結部材と前記カバーとの接合位置において、前記連結部材および前記カバーの少なくとも一方に、磁石を備えていること、を特徴とするカバー開閉装置。
【請求項８】
請求項３乃至請求項７のいずれか一項に記載のカバー開閉装置であって、
前記接続部は、所定の荷重量未満では外れないこと、を特徴とするカバー開閉装置。
【請求項９】
請求項１乃至請求項８のいずれか一項に記載のカバー開閉装置と、
前記筐体の内部に設けられている記録媒体に画像を記録する画像記録部と、
を有すること、を特徴とする画像記録装置。
【請求項１０】
請求項９に記載の画像記録装置であって、
前記画像記録部は、インクを収納するインクタンクと、
前記インクを前記記録媒体に吐出して前記記録媒体に画像を記録する記録ヘッドと、
を備えていること、を特徴とする画像記録装置。
【発明の詳細な説明】
【技術分野】
【０００１】
本発明は、カバー開閉装置、およびカバー開閉装置を備えた画像記録装置に関する。
【背景技術】
【０００２】
従来から、装置内部のメンテナンスなどを行うために、筐体の上部を覆うカバー開閉装置が知られていた。例えば、インクジェットプリンターなどの画像記録装置では、インクカートリッジの交換やジャミングした記録媒体の除去などのためにカバー開閉装置を備えていた。スキャナーでは、原稿の保持や原稿を読み取る際の外光を遮蔽するためにカバー開閉装置を備えていた。これらのコンシューマー向け装置では、カバーに過剰な負荷が加えられても、カバーが簡単に破損しないような機構が取り入れられている。特許文献１には、カバーが開放位置にあるときに、さらに開放方向に荷重が加えられた場合に、カバーが容易に外れるカバー開閉機構を備えた印字装置が開示されている。
【先行技術文献】
【特許文献】
【０００３】
【特許文献１】特開２０１０−２３８８５１号公報
【発明の概要】
【発明が解決しようとする課題】
【０００４】
特許文献１に記載のカバー開閉装置は、カバーに備えられている連結部（ヒンジ）の軸部が嵌合する筐体側の軸受けに切欠き部を設けて、カバーが軸受け部から容易に外れる機構を備えている。これにより、カバーに過剰な負荷が加えられた時のカバーの破損を防止することはできる。しかしながら、ユーザーは外れたカバーの軸部を筐体側の軸受け部に嵌め直す必要があり、カバーを元の接合位置に復帰させる作業に労力を要していた。
【課題を解決するための手段】
【０００５】
本発明は、上述の課題の少なくとも一部を解決するためになされたものであり、以下の形態または適用例として実現することが可能である。
【０００６】
［適用例１］本適用例に係るカバー開閉装置は、筐体と、前記筐体の一部を覆い前記筐体に対して開閉可能なカバーと、前記筐体および前記カバーを連結させる連結部材と、を備えるカバー開閉装置であって、前記連結部材は、前記筐体と連結する第１連結部と、前記カバーと連結する第２連結部と、を有し、前記第２連結部は、前記カバーと前記連結部材とを連結させたまま結合状態を変更可能であること、を特徴とする。
【０００７】
本適用例によれば、カバー開閉装置のカバーは、連結部材を介して、筐体に連結されている。詳しくは、カバーは、連結部材に備えられている第２連結部で連結部材に連結され、筐体は、連結部材に備えられている第１連結部で連結部材に連結されている。カバー開閉装置は、カバーの開放方向に過剰な負荷が加えられた時に、カバーと連結部材とを連結している第２連結部の結合状態が変更されて、第１連結部に過剰な負荷が伝達されることを緩和する機構を備えている。これにより、連結部材が第１連結部で外れ、連結部材に連結されているカバーと筐体とが分離することを防止することができる。また、第２連結部の結合状態が変更された場合においても、第２連結部はカバーと連結部材との連結を維持しているので、ユーザーは、第２連結部の結合状態を変更前に戻すだけでカバーを容易に元の接合位置に復帰させることができる。したがって、カバーに過剰な負荷が加えられても、カバーと筐体とが分離することなく、カバーを容易に元の接合位置に復帰させることが可能なカバー開閉装置を提供することができる。
【０００８】
［適用例２］上記適用例に記載のカバー開閉装置において、前記筐体に対する前記カバーの開閉角度が所定角度以下の時、前記カバーは前記第１連結部を中心に回動し、前記筐体に対する前記カバーの開閉角度が前記所定角度より大きい時、前記カバーは前記第２連結部を中心に回動すること、が好ましい。
【０００９】
本適用例によれば、カバー開閉装置は、カバーが閉じられた状態の筐体からカバーを開いていった時、筐体とカバーとでなす角が所定角度以下の範囲では、カバーと筐体とは連結部材の第１連結部を中心に回動する。筐体とカバーとでなす角が所定角度より大きい範囲では、カバーと筐体とは連結部材の第２連結部を中心に回動する。例えば、カバーと筐体とが第１連結部だけで連結され、第１連結部の可動範囲が筐体とカバーとでなす角の所定角度であった場合、カバーに筐体から所定角度を超えて開こうとする力が加わると第１連結部に過剰な負荷が加えられてしまう。本適用例の装置は、連結部材とカバーとを連結する第２連結部を備え、カバーが所定角度より大きく開かれた時、カバーは第２連結部を中心に回動するので、第１連結部に過剰な負荷が加えられることを防止することができる。
【００１０】
［適用例３］上記適用例に記載のカバー開閉装置において、前記連結部材は、前記第２連結部とは異なる領域で前記カバーおよび前記連結部材を接合する接続部をさらに備え、前記筐体に対する前記カバーの開閉角度が前記所定角度より大きい時、前記カバーは前記接続部において前記連結部材から外れること、が好ましい。
【００１１】
本適用例によれば、カバーと連結部材とは、第２連結部と接続部とで連結されている。カバーに所定角度を超えて開こうとする過剰な力が加わった時、カバーは接続部において連結部材から外れて、連結が維持されている第２連結部でのカバーと連結部材との結合状態が変更されることで過剰な力を逃がすことができる。
【００１２】
［適用例４］上記適用例に記載のカバー開閉装置において、前記接続部は、係合形状であること、が好ましい。
【００１３】
本適用例によれば、接続部は、カバーと連結部材とを係合形状で連結しているため、カバーに所定角度を超えて開こうとする過剰な力が加わり、カバーが接続部で連結部材から外れても、容易に元の接合位置に復帰させることができる。また、筐体に対するカバーの開閉角度が所定角度以下の時に、第２連結部でのカバーと連結部材との結合状態が不必要に変更されることを防ぐことができる。
【００１４】
［適用例５］上記適用例に記載のカバー開閉装置において、前記接続部は、フックであること、が好ましい。
【００１５】
本適用例によれば、カバーは、接続部で連結部材とフックで接続されている。フックはカバーと連結部材とを接続部で着脱させることができる。これにより、カバーに過剰な力が加わり接続部でのカバーと連結部材との接続が外れて、第２連結部でのカバーと連結部材との結合状態が変更された場合でも、カバーを容易に元の接合位置に復帰させることができる。
【００１６】
［適用例６］上記適用例に記載のカバー開閉装置において、前記接続部は、ボール形状であること、が好ましい。
【００１７】
本適用例によれば、カバーは、接続部で連結部材とボール形状で接続されている。ボールとボールの外形に倣った凹部を設けることでカバーと連結部材とを接続部で着脱させることができる。これにより、カバーに過剰な力が加わり接続部でのカバーと連結部材との接続が外れて、第２連結部でのカバーと連結部材との結合状態が変更された場合でも、カバーを容易に元の接合位置に復帰させることができる。
【００１８】
［適用例７］上記適用例に記載のカバー開閉装置において、前記接続部は、前記連結部材と前記カバーとの接合位置において、前記連結部材および前記カバーの少なくとも一方に、磁石を備えていること、が好ましい。
【００１９】
本適用例によれば、カバーは、接続部で連結部材と磁石で接続されている。磁石はカバーと連結部材とを接続部で着脱させることができる。これにより、カバーに過剰な力が加わり接続部でのカバーと連結部材との接続が外れて、第２連結部でのカバーと連結部材との結合状態が変更された場合でも、カバーを容易に元の接合位置に復帰させることができる。
【００２０】
［適用例８］上記適用例に記載のカバー開閉装置において、前記接続部は、所定の荷重量未満では外れないこと、が好ましい。
【００２１】
本適用例によれば、カバーに負荷が加わっても、連結部に加わる荷重が所定の荷重量未満の場合、接続部におけるカバーと連結部材との連結は外れない。これにより、接続部でカバーと連結部材とが不必要に外れて、第２連結部でのカバーと連結部材との結合状態が変更されることを防ぐことができる。
【００２２】
［適用例９］本適用例に係る画像記録装置は、上記適用例に記載のカバー開閉装置と、前記筐体の内部に設けられている記録媒体に画像を記録する画像記録部と、を有すること、を特徴とする。
【００２３】
本適用例によれば、カバー開閉装置の筐体内部には画像記録部が設けられているので、装置内部のメンテナンスなどを行う際にカバーに過剰な負荷が加えられても、カバーと筐体とが分離することなく、カバーを容易に元の接合位置に復帰させることが可能なカバー開閉装置を備えた画像記録装置を提供することができる。
【００２４】
［適用例１０］上記適用例に記載の画像記録装置において、前記画像記録部は、インクを収納するインクタンクと、前記インクを前記記録媒体に吐出して前記記録媒体に画像を記録する記録ヘッドと、を備えていること、が好ましい。
【００２５】
本適用例によれば、カバー開閉装置の筐体内部にはインクタンクとインクを記録媒体に吐出する記録ヘッドを備えた画像記録部が設けられているので、装置内部のメンテナンスなどを行う際にカバーに過剰な負荷が加えられても、カバーと筐体とが分離することなく、カバーを容易に元の接合位置に復帰させることが可能なカバー開閉装置を備えたインクジェット方式の画像記録装置を提供することができる。
【図面の簡単な説明】
【００２６】
【図１】実施形態に係る開閉式カバーを備えた画像記録装置の概略構成を示す斜視図。
【図２】カバー開閉装置の概略構成を示す斜視図。
【図３】カバー開閉装置の要部を拡大して示す斜視図。
【図４】図２におけるＡ−Ａ線での断面図。
【図５】変形例１に係る開閉装置の断面図。
【図６】変形例２に係る開閉装置の断面図。
【発明を実施するための形態】
【００２７】
以下、本発明の実施形態について、図面を参照して説明する。なお、以下の各図においては、各層や各部材を認識可能な程度の大きさにするため、各層や各部材の尺度を実際とは異ならせている。
また、各図において、説明の便宜上、互いに直交する三軸として、Ｘ軸、Ｙ軸およびＺ軸を図示しており、軸方向を図示した矢印の先端側を「＋側」、基端側を「−側」としている。また、以下では、Ｘ軸に並行な方向を「Ｘ軸方向」または「主走査方向」、Ｙ軸に並行な方向を「Ｙ軸方向」または「副走査方向」、Ｚ軸に並行な方向を「Ｚ軸方向」という。また、＋Ｙ軸側から見た側面を「正面」、反対側を「背面」とする。
【００２８】
（実施形態）
＜画像記録装置の概略構成＞
図１は、実施形態に係るカバー開閉装置２０を備えた画像記録装置１の概略構成を示す斜視図である。
まず、実施形態に係る画像記録装置１の概略構成について、図１を用いて説明する。
【００２９】
図１は、カバー開閉装置２０を備えた装置の一例としての画像記録装置１である。画像記録装置１は、Ｘ軸方向に沿って延在している略直方体形状の筐体１０と、筐体１０の一部を覆い筐体１０に対して開閉可能なカバー２２と、を含むカバー開閉装置２０を備えている。筐体１０の正面側には、複数の操作ボタンなどを備えた操作パネル１６、記録媒体を供給するカセット１２、記録媒体を排出する排出口１４が設けられている。
【００３０】
カセット１２は、正面側（＋Ｙ軸方向）に引き出し可能な構成となっており、複数の記録媒体（図示せず）を重ねて収容することができる。筐体１０内には、カセット１２から給送された記録媒体を、その搬送経路に沿って排出口１４まで搬送する搬送機構（図示せず）が設けられている。
【００３１】
画像記録装置１は、筐体１０の内部に、記録媒体に記録を行う画像記録部３０を有している。画像記録部３０は、インクを収納するインクタンク３４と、インクを記録媒体に吐出して記録媒体に画像を記録する記録ヘッド３２と、を備えている。詳しくは、筐体１０内の画像記録部３０における記録媒体の搬送経路と対向する位置には、キャリッジ３１が、記録媒体が搬送される副走査方向（＋Ｙ軸方向）と交差する主走査方向（±Ｘ軸方向）に、往復移動可能に設けられている。
【００３２】
キャリッジ３１の上部（＋Ｚ軸側）には、シアン、マゼンタ、イエロー、ブラックなどの液体としてのインクを収納するインクタンク３４が備えられ、キャリッジの下面（−Ｚ軸側の面）には、インクタンク３４から供給されたインクを記録媒体に向かってインクを液滴に吐出するノズルが形成された記録ヘッド３２が、備えられている。
【００３３】
ユーザーが操作パネル１６を操作することにより、カセット１２から記録媒体が画像記録部３０に搬送される。画像記録部３０では、記録ヘッド３２がノズルから記録媒体に向かってインクを吐出しながらキャリッジ３１と共に主走査方向に往復移動し、記録媒体が副走査方向に搬送されることにより、記録媒体に画像などが記録される。記録媒体は排出口１４に搬送され、画像などが記録された記録媒体が排出口１４から排出される。
【００３４】
＜カバー開閉装置の構成＞
図２は、カバー開閉装置２０の概略構成を示す斜視図である。図３は、カバー開閉装置２０の要部を拡大して示す斜視図である。図４は、カバー開閉装置２０の断面図である。図４（ｂ）は、図２に示すカバー２２を開けた状態におけるＡ−Ａ線での断面図である。図４（ａ）は、カバーを閉めた状態の断面図である。図４（ｃ）は、カバー２２と連結部材４０との結合状態が変更された状態の断面図である。
【００３５】
図２および図３に示すように、カバー開閉装置２０は、筐体１０と、筐体１０の一部を覆い、筐体１０に対して開閉可能なカバー２２と、筐体１０およびカバー２２を連結させる連結部材４０と、を備えている。カバー２２は、筐体１０の背面側のＸ軸方向に配置された一対の連結部材４０を介して、筐体１０に接続されている。
【００３６】
図３および図４に示すように、連結部材４０は、筐体１０と連結する第１連結部４１と、カバー２２と連結する第２連結部４３と、を有している。＋Ｘ軸方向からの断面（側面）視において、連結部材４０は半円形状の半円部４６と半円部４６の一端から半円形の円弧の法線方向に延出する矩形状の矩形部４８とで形成され、Ｐ字形状をなしている。半円部４６の矩形部４８側には、連結部材４０が第１連結部４１を中心に回動した時、筐体１０との干渉を防ぐ空洞が設けられている。なお、連結部材４０の形状および接続位置は一例であり、これに限定されるものではない。
【００３７】
第１連結部４１は、半円部４６の円の中心から±Ｘ軸方向に突設している支持軸４２と、筐体１０側の内部に設けられ支持軸４２を回動可能に支持している支持部１８と、で構成されている。これにより、連結部材４０は、第１連結部４１を支点に回動可能に筐体１０と連結されている。第２連結部４３は、半円部４６の一端側から±Ｘ軸方向に突設している支持軸４４と、カバー２２側に設けられている支持軸４４を回動可能に支持している支持部２４と、で構成されている。これにより、カバー２２は、第２連結部４３を支点に回動可能に連結部材４０と連結されている。第１連結部４１および第２連結部４３は、所謂ヒンジとして機能する。
【００３８】
図４に示すように、連結部材４０は、第２連結部４３とは異なる領域でカバー２２および連結部材４０を接合する接続部２５をさらに備えている。接続部２５はカバー２２と連結部材４０とを係合する係合形状である。詳しくは、接続部２５は、所謂フック４９であり、連結部材４０の矩形部４８の先端に設けられているフック４９と、カバー２２側に設けられているフック４９を係止する被係止部２６とで構成されている。フック４９と被係止部２６とを係止する接続部２５は、所定の荷重量未満では連結部材４０からカバー２２が外れないように係止している。
【００３９】
＜カバーの開閉＞
筐体１０に対するカバー２２の開閉角度θが所定角度以下の時、カバー２２は第１連結部４１を中心に回動する。詳しくは、開閉角度θの所定角度以下の範囲は、第１連結部４１の回動可能範囲である。このため、ユーザーが画像記録装置１のメンテナンスなどのために、図４（ａ）に示すカバー２２が閉じられた状態から開閉角度θが所定角度である図４（ｂ）に示す位置までカバー２２を開けた時、接続部２５に加わる荷重は所定の荷重量未満となり、カバー２２は第２連結部４３と接続部２５とで連結部材４０に連結されている。これにより、カバー２２は第１連結部４１の支持軸４２を中心に回動する。
【００４０】
筐体１０に対するカバー２２の開閉角度θが所定角度より大きい時、カバー２２は接続部２５において連結部材４０から外れる。詳しくは、筐体１０に対するカバー２２の開閉角度θが所定角度以下の時、カバー２２は、第２連結部４３と接続部２５とで連結部材４０に連結されている。第１連結部４１の回動限界である図４（ｂ）に示す状態から、さらにカバー２２の開放方向（−Ｙ軸方向）に過剰な負荷が加えられた時、第１連結部４１は回動しないため、接続部２５に所定の荷重量以上の荷重が加わり、接続部２５のフック４９と被係止部２６とが離間し、カバー２２は接続部２５において連結部材４０から外れる。
【００４１】
一方、第２連結部４３はカバー２２と連結部材４０とを連結させたまま結合状態を変更可能である。カバー２２は、第２連結部４３で連結部材４０と回動可能に連結されているため、カバー２２は負荷が加えられた開放方向に沿って第２連結部４３の支持軸４４を中心に回動する。これにより、カバー２２に過剰な負荷が加えられた時、連結部材４０と筐体１０とを連結している第１連結部４１に伝達される負荷は緩和されるので、連結部材４０に連結されているカバー２２と筐体１０とが分離することを防止できる。また、第２連結部４３の結合状態が変更されても、第２連結部４３はカバー２２と連結部材４０との連結を維持しているので、ユーザーは接続部２５のフック４９と被係止部２６とを再係止することで容易に元の接合位置に復帰させることができる。
【００４２】
以上述べたように、本実施形態に係るカバー開閉装置２０および画像記録装置１によれば、以下の効果を得ることができる。
カバー開閉装置２０は、筐体１０、カバー２２、連結部材４０および接続部２５を備え、連結部材４０は、筐体１０と連結する第１連結部４１およびカバー２２と連結する第２連結部４３を有している。カバー２２は、第１連結部４１を介して筐体１０と連結している連結部材４０に、第２連結部４３を介して連結され、さらに、カバー２２は接続部２５に備えられているフック４９と被係止部２６とで連結部材４０に係止されている。カバー２２の開放方向に過剰な負荷が加えられた時、カバー開閉装置２０は、接続部２５において連結部材４０とカバー２２とを離間させて第２連結部４３を中心にカバー２２を回動させることで、第２連結部４３におけるカバー２２と連結部材４０との結合状態を変更する。これにより、第１連結部４１に伝達される負荷が緩和されるため、連結部材４０と筐体１０との連結が第１連結部４１で外れ、カバー２２と筐体１０とが分離することを防止できる。
【００４３】
また、接続部２５においてカバー２２と連結部材４０との係止が外れて、第２連結部４３におけるカバー２２と連結部材４０との結合状態が変更された場合でも、接続部２５のフック４９と被係止部２６とを係止することでカバー２２を容易に元の接合位置に復帰させることができる。したがって、カバー２２に過剰な負荷が加えられても、カバー２２と筐体１０とが分離することなく、カバー２２を容易に元の接合位置に復帰させることが可能なカバー開閉装置２０を提供することができる。
【００４４】
また、カバー開閉装置２０を備えた画像記録装置１においては、装置内部のメンテナンスなどを行う際にカバー２２に過剰な負荷が加えられても、カバー２２と筐体１０とが分離することなく、カバー２２を容易に元の接合位置に復帰させることが可能な画像記録装置１を提供することができる。
【００４５】
なお、本発明は上述した実施形態に限定されず、実施形態に種々の変更や改良などを加えることが可能である。変形例を以下に述べる。
【００４６】
（変形例１）
変形例１に係るカバー開閉装置１２０において、接続部１２５の形状が実施形態と異なっている。
図５は、変形例１に係るカバー開閉装置１２０の断面図である。図５（ａ）は、図２に示すカバー１２２を開けた状態におけるＡ−Ａ線での断面図である。図５（ｂ）は、カバー１２２と連結部材１４０との結合状態が変更された状態の断面図である。
図５に示すように、カバー開閉装置１２０は、筐体１０と、筐体１０の一部を覆い、筐体１０に対して開閉可能なカバー１２２と、筐体１０およびカバー１２２を結ぶ連結部材１４０と、を備えている。カバー１２２は、筐体１０の背面側のＸ軸方向に配置された一対の連結部材４０を介して、筐体１０に接続されている。連結部材１４０は、半円部４６と矩形部１４８とで形成されている。
【００４７】
連結部材１４０は、第２連結部４３とは異なる領域でカバー１２２および連結部材１４０を結ぶ接続部１２５をさらに備えている。接続部１２５はカバー１２２と連結部材１４０とを係合するボール形状である。詳しくは、接続部１２５は、所謂ボールキャッチであり、連結部材１４０の矩形部１４８の先端部に埋め込まれているボール１４９と、カバー１２２側に設けられているボール１４９の外形に倣った凹状の被係止部１２６とで構成されている。ボール１４９と被係止部１２６とを係止する接続部１２５は、所定の荷重量未満では連結部材１４０からカバー１２２が外れないように係止している。
【００４８】
カバー１２２は、第２連結部４３および接続部１２５で連結部材１４０に連結されている。カバー１２２に過剰な負荷が加わり、接続部１２５に所定の荷重量以上の荷重が加わると、カバー１２２は接続部１２５において連結部材１４０から外れる。カバー開閉装置１２０は、カバー１２２と連結部材１４０との連結を維持している第２連結部４３を中心にカバー１２２を回動させることで、第２連結部４３におけるカバー１２２と連結部材１４０との結合状態を変更する。
【００４９】
以上述べたように、本変形例１に係るカバー開閉装置１２０によれば、上述の実施形態での効果に加えて、以下の効果を得ることができる。
カバー開閉装置１２０は、筐体１０、カバー１２２、連結部材１４０および接続部１２５を備えている。カバー１２２に過剰な負荷が加わり、接続部１２５においてカバー１２２と連結部材１４０との係止が外れて第２連結部４３におけるカバー１２２と連結部材１４０との結合状態が変更された場合でも、接続部１２５のボール１４９と被係止部１２６とを係止することでカバー１２２を容易に元の接合位置に復帰させることができる。したがって、カバー１２２に過剰な負荷が加えられても、カバー１２２と筐体１０とが分離することなく、カバー１２２を容易に元の接合位置に復帰させることが可能なカバー開閉装置１２０を提供することができる。
【００５０】
（変形例２）
変形例２に係るカバー開閉装置２２０において、接続部２２５の形状が実施形態と異なっている。
図６は、変形例２に係るカバー開閉装置２２０の断面図である。図６（ａ）は、図２に示すカバー２２２を開けた状態におけるＡ−Ａ線での断面図である。図６（ｂ）は、カバー２２２と連結部材２４０との結合状態が変更された状態の断面図である。
図６に示すように、カバー開閉装置２２０は、筐体１０と、筐体１０の一部を覆い、筐体１０に対して開閉可能なカバー２２２と、筐体１０およびカバー２２２を連結させる連結部材２４０と、を備えている。カバー２２２は、筐体１０の背面側のＸ軸方向に配置された一対の連結部材２４０を介して、筐体１０に接続されている（図２参照）。連結部材２４０は、半円部４６と矩形部２４８とで形成されている。
【００５１】
連結部材２４０は、第２連結部４３とは異なる領域でカバー２２２および連結部材２４０を結ぶ接続部２２５をさらに備えている。接続部２２５は、連結部材２４０とカバー２２２との接合位置において、連結部材２４０およびカバー２２２の少なくとも一方に、磁石を備えている。本変形例では、連結部材２４０の接合位置に矩形状の磁性体としての磁石２４９が設けられ、カバー２２２の接合位置に矩形状の磁石２２６が設けられている。磁石２４９と磁石２２６とは、互いに引き合う力（引力）が働く極性を有している。これにより、接続部２２５は、所定の荷重量未満では連結部材２４０からカバー２２２が外れないように係止している。
【００５２】
カバー２２２は、第２連結部４３および接続部２２５で連結部材２４０に連結されている。カバー２２２に過剰な負荷が加わり、接続部２２５に所定の荷重量以上の荷重が加わると、カバー２２２は接続部２２５において連結部材２４０から外れる。カバー開閉装置２２０は、カバー２２２と連結部材２４０との連結を維持している第２連結部４３を中心にカバー２２２を回動させることで、第２連結部４３におけるカバー２２２と連結部材２４０との結合状態を変更する。なお、本変形例では、連結部材２４０とカバー２２２との両方に磁石が設けられているものとして説明したが、これに限定されるものではない。連結部材２４０およびカバー２２２の一方が磁性体を含む材料で成形され、他方の接続位置に磁石が設けられた構成としてもよい。
【００５３】
以上述べたように、本変形例２に係るカバー開閉装置２２０によれば、上述の実施形態での効果に加えて、以下の効果を得ることができる。
カバー開閉装置２２０は、筐体１０、カバー２２２、連結部材２４０および接続部２２５を備えている。カバー２２２に過剰な負荷が加わり、接続部２２５においてカバー２２２と連結部材２４０との係止が外れて第２連結部４３におけるカバー２２２と連結部材２４０との結合状態が変更された場合でも、接続部におけるカバー２２２と連結部材２４０とに設けられている磁石２２６，２４９の引力により、カバー２２２を容易に元の接合位置に復帰させることができる。したがって、カバー２２２に過剰な負荷が加えられても、カバー２２２と筐体１０とが分離することなく、カバー２２２を容易に元の接合位置に復帰させることが可能なカバー開閉装置２２０を提供することができる。
【００５４】
また、磁石は電磁石であってもよく、この構成により磁石の磁力の大きさを変更することができる。従って、カバー２２２と連結部材２４０との係止が外れた後に磁力を大きくすることで、より容易に元の接合位置に復帰させることが可能なカバー開閉装置２２０を提供することができる。また、カバー２２２と連結部材２４０との係止が外れるときの荷重調整が可能となる。
【符号の説明】
【００５５】
１…画像記録装置、１０…筐体、１２…カセット、１４…排出口、１６…操作パネル、１８，２４…支持部、２０，１２０，２２０…カバー開閉装置、２２，１２２，２２２…カバー、２５，１２５，２２５…接続部、２６…被係止部、３０…画像記録部、３１…キャリッジ、３２…記録ヘッド、３４…インクタンク、４０，１４０，２４０…連結部材、４１…第１連結部、４２，４４…支持軸、４３…第２連結部、４９…フック、１２６…被係止部、１４９…ボール、２２６，２４９…磁石。
【図１】
2016039159.tif 000003
【図２】
2016039159.tif 000004
【図３】
2016039159.tif 000005
【図４】
2016039159.tif 000006
【図５】
2016039159.tif 000007
【図６】
2016039159.tif 000008